(57)【要約】【課題】取付面に対するシャワーヘッドの固定状態の安定化と、取付面からシャワーヘッドを取り外す操作に要する力の低減との両立を図る。【解決手段】シャワーヘッド１０は、取付面４１に対して磁気吸着する吸着部として、互いに離間した位置に設けられる第１吸着部２０及び第２吸着部３０を備えている。第１吸着部２０と第２吸着部３０との間には、取付面４１に磁気吸着しない把持部１４が設けられている。取付面４１に取り付けた状態における取付面４１と把持部１４との間には、指を回り込ませて把持部１４を握り込むための空間Ｓ２が設けられている。【選択図】図３
2019054961.tif 000002
【特許請求の範囲】
【請求項１】
所定の取付面に対して磁気吸着する吸着部を備えるシャワーヘッドであって、
前記吸着部として、互いに離間した位置に設けられる第１吸着部及び第２吸着部を備え、
前記第１吸着部と前記第２吸着部との間には、前記取付面に磁気吸着しない把持部が設けられ、
前記取付面に取り付けた状態における前記取付面と前記把持部との間、又は前記把持部には、指を回り込ませて前記把持部を握り込むための空間が設けられていることを特徴とするシャワーヘッド。
【請求項２】
前記第１吸着部の磁気吸着力と前記第２吸着部の磁気吸着力とが異なることを特徴とする請求項１に記載のシャワーヘッド。
【請求項３】
前記第１吸着部における前記第２吸着部と反対側の端部、及び前記第２吸着部における前記第１吸着部と反対側の端部の少なくとも一方には、前記取付面に取り付けた状態において、前記取付面との間に隙間を生じさせる角部が設けられていることを特徴とする請求項１又は請求項２に記載のシャワーヘッド。
【請求項４】
前記把持部は、前記取付面に取り付けた状態において、前記取付面側から突出するように形成されていることを特徴とする請求項１〜３のいずれか一項に記載のシャワーヘッド。
【請求項５】
前記第１吸着部及び前記第２吸着部は共に、上下方向において、シャワーフェイスの中心よりも下側の部分に設けられていることを特徴とする請求項１〜４のいずれか一項に記載のシャワーヘッド。
【発明の詳細な説明】
【技術分野】
【０００１】
本発明は、シャワーヘッドに関する。
【背景技術】
【０００２】
近年、浴室壁として磁性体として機能する壁部を用いるとともに、シャワーヘッドに磁石を付加することにより、浴室壁とシャワーヘッドとの間の磁気吸着を利用して、使用者が浴室壁の任意の位置に自在にシャワーヘッドを固定可能とする技術が提案されている（例えば、特許文献１参照。）。
【先行技術文献】
【特許文献】
【０００３】
【特許文献１】実開昭５７−８５０６９号公報
【発明の概要】
【発明が解決しようとする課題】
【０００４】
磁気吸着により浴室壁の取付面に固定されるシャワーヘッドは、水滴が付着した環境で使用されることや、シャワー吐水時に大きな水圧が作用することから、取付面に対する固定状態が不安定になりやすい傾向がある。取付面に対する固定状態を安定化させる方法として、取付面とシャワーヘッドとの間に生じる磁気吸着力を高めることが考えられる。しかしながら、上記磁気吸着力を高めると、取り外し時に大きな力が必要になることから、その利便性が低下してしまう。
【０００５】
この発明は、こうした実情に鑑みてなされたものであり、その目的は、取付面に対するシャワーヘッドの固定状態の安定化と、取付面からシャワーヘッドを取り外す操作に要する力の低減との両立を図ることにある。
【課題を解決するための手段】
【０００６】
上記課題を解決するシャワーヘッドは、所定の取付面に対して磁気吸着する吸着部を備えるシャワーヘッドであって、前記吸着部として、互いに離間した位置に設けられる第１吸着部及び第２吸着部を備え、前記第１吸着部と前記第２吸着部との間には、前記取付面に磁気吸着しない把持部が設けられ、前記取付面に取り付けた状態における前記取付面と前記把持部との間、又は前記把持部には、指を回り込ませて前記把持部を握り込むための空間が設けられている。
【０００７】
上記構成によれば、互いに離間した位置に第１吸着部及び第２吸着部が設けられて、複数の吸着部分を備えるため、高い磁気吸着力を確保することが容易である。そのため、濡れた取付面に取り付ける場合や、シャワー吐水時の水圧が作用している場合にも取付面に対するシャワーヘッドの固定状態が安定化して、位置ずれや外れを抑制することができる。
【０００８】
取付面からシャワーヘッドを取り外す際には、第１吸着部と第２吸着部との間に設けられた把持部を持って、第１吸着部及び第２吸着部のいずれか一方側から順に吸着部を取付面から離間させることにより、第１吸着部及び第２吸着部の磁気吸着力に対して比較的、小さい力でシャワーヘッドを取り外すことができる。特に、把持部は、指を回り込ませてしっかりと握り込むことができる形状であることから、取付面にシャワーヘッドを取り付ける操作、及び取付面からシャワーヘッドを取り外す操作が行いやすい。
【０００９】
上記シャワーヘッドにおいて、前記第１吸着部の磁気吸着力と前記第２吸着部の磁気吸着力とが異なることが好ましい。
上記構成によれば、取付面からシャワーヘッドを取り外す際に、磁気吸着力の小さい吸着部から順に取付面から離間させる操作を行うことにより、シャワーヘッドを容易に取り外すことができる。
【００１０】
上記シャワーヘッドにおいて、前記第１吸着部における前記第２吸着部と反対側の端部、及び前記第２吸着部における前記第１吸着部と反対側の端部の少なくとも一方には、前記取付面に取り付けた状態において、前記取付面との間に隙間を生じさせる角部が設けられていることが好ましい。
【００１１】
上記構成によれば、取付面からシャワーヘッドを取り外す際に、第１吸着部又は第２吸着部の端部の角部を支点とすることにより、シャワーヘッドを傾動させる操作を容易に行うことができる。
【００１２】
上記シャワーヘッドにおいて、前記把持部は、前記取付面に取り付けた状態において、前記取付面側から突出するように形成されている。
上記構成によれば、洗髪時に髪に付着した泡等を洗い流す場合のように、取付面に取り付けられたシャワーヘッドの位置をしっかりと視認できない手探りの状態であっても、容易に把持部を握ることができる。また、把持部を握る際に、指先が取付面に当たってしまうことを抑制できる。
【００１３】
上記シャワーヘッドにおいて、前記第１吸着部及び前記第２吸着部は共に、上下方向において、シャワーフェイスの中心よりも下側の部分に設けられていることが好ましい。
シャワーヘッドにおけるシャワーフェイスの周辺部分には、比較的、重量の大きい部材が配置される傾向がある。そのため、上記構成のように、シャワーフェイスの中心より下側の部分に第１吸着部及び第２吸着部を設けることにより、シャワーヘッドの重心を把持部の近傍に位置させることが容易となる。把持部の近傍にシャワーヘッドの重心を位置させることにより、取付面にシャワーヘッドを取り付ける操作、及び取付面からシャワーヘッドを取り外す操作が行いやすくなる。
【発明の効果】
【００１４】
本発明によれば、取付面に対するシャワーヘッドの固定状態の安定化と、取付面からシャワーヘッドを取り外す操作に要する力の低減との両立を図ることができる。
【図面の簡単な説明】
【００１５】
【図１】シャワーヘッドの斜視図。
【図２】シャワーヘッドの分解斜視図。
【図３】シャワーヘッドの側面図。
【図４】取付面にシャワーヘッドを取り付けた状態を示す説明図。
【図５】変更例のシャワーヘッドの説明図。
【図６】（ａ）、（ｂ）は、変更例のシャワーヘッドの説明図。
【図７】変更例のシャワーヘッドの説明図。
【発明を実施するための形態】
【００１６】
以下、本発明の一実施形態を説明する。
図１及び図２に示すように、シャワーヘッド１０は、その外側を形成するハウジング１１を備えている。ハウジング１１は、シャワー水を吐出するための吐出孔を有するシャワーフェイス１２が位置するヘッド部１３と、ヘッド部１３の下側に設けられる把持部１４とを備えている。
【００１７】
図１及び図３に示すように、ヘッド部１３は、上側から下側に向かって背面側に傾斜する形状をなし、正面側に位置するシャワーフェイス１２が斜め下方を向くように構成されている。把持部１４は、上下方向に延びるとともに上下方向の中央部分が正面側に膨らむように湾曲した弓形に形成されている。そして、ヘッド部１３と把持部１４とは側面視Ｖ字状をなすように接続されている。
【００１８】
図１及び図２に示すように、ハウジング１１の背面側には、背面側から側面側にかけて開口する第１収容部１５ａ及び第２収容部１５ｂが形成されている。第１収容部１５ａは、ヘッド部１３と把持部１４との接続部分に位置するとともに、第２収容部１５ｂは、把持部１４の下部に位置している。
【００１９】
図２及び図３に示すように、第１収容部１５ａには、所定の取付面に対して磁気吸着する第１吸着部２０が収容されている。第１吸着部２０は、第１収容部１５ａに固定される断面Ｕ字状の第１ケース部材２１と、第１ケース部材２１に収容される第１磁石２２とを備えている。第１吸着部２０の背面側の面である吸着面２０ａは、上下方向に平行に形成されるとともに、ハウジング１１よりも背面側に突出している。
【００２０】
また、ハウジング１１は、第１収容部１５ａの側面側を塞ぐ第１蓋部材１６ａを備えている。第１蓋部材１６ａは、第１吸着部２０を収容した状態の第１収容部１５ａに対して螺子１７ａにより固定されている。第１蓋部材１６ａによって第１収容部１５ａの側面側が塞がれることにより、ハウジング１１内に第１吸着部２０が固定されている。
【００２１】
図２及び図３に示すように、第２収容部１５ｂには、所定の取付面に対して磁気吸着する第２吸着部３０が収容されている。第２吸着部３０は、第２収容部１５ｂに固定される断面Ｕ字状の第２ケース部材３１と、第２ケース部材３１に収容される第２磁石３２とを備えている。第２吸着部３０の背面側の面である吸着面３０ａは、上下方向に平行に形成されるとともに、ハウジング１１よりも背面側に突出している。
【００２２】
また、ハウジング１１は、第２収容部１５ｂの側面側を塞ぐ第２蓋部材１６ｂを備えている。第２蓋部材１６ｂは、第２吸着部３０を収容した状態の第２収容部１５ｂに対して螺子１７ｂにより固定されている。第２蓋部材１６ｂによって第２収容部１５ｂの側面側が塞がれることにより、ハウジング１１内に第２吸着部３０が固定されている。
【００２３】
図３に示すように、第１吸着部２０及び第２吸着部３０は共に、上下方向において、シャワーフェイス１２の中心線Ｌよりも下側の部分に設けられている。これにより、シャワーヘッド１０の重心を把持部１４の近傍に位置させている。
【００２４】
また、第２磁石３２として、第１磁石２２よりも磁力の小さい磁石を採用している。これにより、第１吸着部２０よりも第２吸着部３０の方が、磁気吸着力が小さくなるように調整されている。なお、第１磁石２２及び第２磁石３２としては、合金磁石、フェライト磁石、希土類磁石等の永久磁石を用いることができる。
【００２５】
図１〜３に示すように、ハウジング１１の下部には、給水ホースに連結される連結部１８が取り付けられている。
なお、ハウジング１１の内部に設けられる流路等の構成は特に限定されるものではなく、公知のシャワーヘッドに用いられる構成を適宜、採用することができる。
【００２６】
次に、本実施形態の作用について説明する。
図４に示すように、シャワーヘッド１０は、磁性体として機能する壁部４０を有する浴室等に設置して用いられる。磁性体として機能する壁部４０としては、例えば、鋼板を含む壁パネル、ホーロー製の壁パネルが挙げられる。
【００２７】
シャワーヘッド１０は、壁部４０の取付面４１における任意の位置において、ハウジング１１の背面側に設けられた第１吸着部２０及び第２吸着部３０を取付面４１に接触させることにより、第１吸着部２０及び第２吸着部３０と取付面４１との間に発生する磁気吸着力に基づいて取付面４１に取り付けられる。具体的には、第１吸着部２０の吸着面２０ａ及び第２吸着部３０の吸着面３０ａと取付面４１とが面同士で接触した状態で取付面４１に固定される。
【００２８】
このとき、シャワーヘッド１０は、上下方向（シャワーヘッド１０の長手方向）における互いに離間した二箇所である第１吸着部２０及び第２吸着部３０において、取付面４１に吸着する。そのため、取付面４１に吸着する部分を一箇所に集中して設けた構成と比較して、高い磁気吸着力が得られる。
【００２９】
一方、取付面４１からシャワーヘッド１０を取り外す際には、把持部１４を持って、矢印Ａ又は矢印Ｂに示すようにシャワーヘッド１０を上側又は下側に傾けて、第１吸着部２０及び第２吸着部３０を一方側から順に取付面４１から離間させる。そして、傾けた状態のシャワーヘッド１０を正面側に引く等して、第１吸着部２０及び第２吸着部３０の他方側を取付面４１から離間させる。
【００３０】
ここで、図３に示すように、第１吸着部２０は、ハウジング１１から背面側に突出するように設けられているため、第１吸着部２０の吸着面２０ａにおける上側の端部（第２吸着部３０と反対側の端部）には、取付面４１との間に隙間Ｓ１を生じさせる角部２３が存在する。そのため、角部２３を支点とすることにより、シャワーヘッド１０を容易に上側（図４における矢印Ａ側）に傾動させることができる。なお、第１吸着部２０の角部２３は、第１ケース部材２１により構成されている。
【００３１】
第２吸着部３０も同様に、第２吸着部３０の吸着面３０ａにおける下側の端部（第１吸着部２０と反対側の端部）には、取付面４１との間に隙間Ｓ１を生じさせる角部３３が存在する。そのため、角部３３を支点とすることにより、シャワーヘッド１０を容易に下側（図４における矢印Ｂ側）に傾動させることができる。なお、第２吸着部３０の角部３３は、第２磁石３２により構成されている。
【００３２】
また、本実施形態のシャワーヘッド１０では、第１吸着部２０よりも第２吸着部３０の方が、磁気吸着力が小さくなるように調整されている。そのため、シャワーヘッド１０を上側（図４における矢印Ａ側）に傾動させて、磁気吸着力の小さい第２吸着部３０を先に取付面４１から離間させるようにすると、より小さい力でシャワーヘッド１０を取り外すことができる。
【００３３】
また、図３及び図４に示すように、把持部１４は、上下方向の中央部分が正面側に膨らむように湾曲した弓形に形成されていることにより、把持部１４と取付面４１との間に空間Ｓ２が形成される。そのため、取付面４１に取り付けられた状態においても、空間Ｓ２を通じて把持部１４の奥側に指を回り込ませて、把持部１４をしっかりと握り込むことができる。そのため、取付面４１にシャワーヘッド１０を取り付ける操作、及び取付面４１からシャワーヘッド１０を取り外す操作を行う際に、シャワーヘッド１０に力が伝わりやすい。また、把持部１４を握った手が邪魔になり難く、上記の各操作が行いやすい。
【００３４】
次に、本実施形態の効果について記載する。
（１）シャワーヘッド１０は、取付面４１に対して磁気吸着する吸着部として、互いに離間した位置に設けられる第１吸着部２０及び第２吸着部３０を備えている。第１吸着部２０と第２吸着部３０との間には、取付面４１に磁気吸着しない把持部１４が設けられている。取付面４１に取り付けた状態における取付面４１と把持部１４との間には、指を回り込ませて把持部１４を握り込むための空間Ｓ２が設けられている。
【００３５】
上記構成によれば、互いに離間した位置に第１吸着部及び第２吸着部が設けられて、複数の吸着部分を備えるため、高い磁気吸着力を確保することが容易である。そのため、濡れた取付面に取り付ける場合や、シャワー吐水時の水圧が作用している場合にも取付面に対するシャワーヘッドの固定状態が安定化して、位置ずれや外れを抑制することができる。
【００３６】
一方、取付面４１からシャワーヘッド１０を取り外す際には、第１吸着部２０と第２吸着部３０との間に設けられた把持部１４を持って、第１吸着部２０及び第２吸着部３０のいずれか一方側から順に吸着部を取付面４１から離間させる。これにより、第１吸着部２０及び第２吸着部３０の磁気吸着力に対して比較的、小さい力でシャワーヘッド１０を取り外すことができる。
【００３７】
また、指を回り込ませてしっかりと握り込むことができる形状の把持部１４としたことにより、取付面４１にシャワーヘッド１０を取り付ける操作、及び取付面４１からシャワーヘッド１０を取り外す操作が行いやすい。また、取付面４１に対するシャワーヘッド１０の取り付け及び取り外しを行う際に、シャワーヘッド１０を持ち変えるような状況が少なくなる。
【００３８】
（２）第２吸着部３０の磁気吸着力が第１吸着部２０の磁気吸着力よりも小さくなるように調整されている。
上記構成によれば、取付面４１からシャワーヘッド１０を取り外す際に、磁気吸着力の小さい第２吸着部３０から先に取付面４１から離間させるようにシャワーヘッド１０を傾動させることにより、シャワーヘッド１０を容易に取り外すことができる。
【００３９】
（３）第１吸着部２０における第２吸着部３０と反対側の端部には、取付面４１に取り付けた状態において、取付面４１との間に隙間Ｓ１を生じさせる角部２３が設けられている。また、第２吸着部３０における第１吸着部２０と反対側の端部には、取付面４１に取り付けた状態において、取付面４１との間に隙間Ｓ１を生じさせる角部３３が設けられている。
【００４０】
上記構成によれば、取付面４１からシャワーヘッド１０を取り外す際に、第１吸着部２０の角部２３又は第２吸着部３０の角部３３を支点としてシャワーヘッド１０を傾動させる操作を容易に行うことができる。
【００４１】
特に、上記実施形態においては、図３に示すように、ハウジング１１における第１吸着部２０の上側に位置する部分、及び第２吸着部３０の下側に位置する部分を正面側に屈曲させて、取付面４１との間に形成される隙間Ｓ１が大きくなるように構成している。隙間Ｓ１が大きく確保されることにより、角部２３，３３を支点としてシャワーヘッド１０を傾動させる操作を更に容易に行うことができる。
【００４２】
（４）把持部１４は、取付面４１に取り付けた状態において、取付面４１側から正面側に突出するように形成されている。
上記構成によれば、洗髪時に髪に付着した泡等を洗い流す場合のように、取付面４１に取り付けられたシャワーヘッド１０の位置をしっかりと視認できない手探りの状態であっても、容易に把持部１４を握ることができる。また、把持部１４を握る際に、指先が取付面４１に当たってしまうことを抑制できる。
【００４３】
（５）第１吸着部２０及び第２吸着部３０は共に、シャワーフェイス１２の中心線Ｌよりも下側の部分に設けられている。
シャワーヘッド１０におけるシャワーフェイス１２の周辺部分には、比較的、重量の大きい部材が配置される傾向がある。そのため、上記構成のように、シャワーフェイス１２の中心より下側の部分に第１吸着部２０及び第２吸着部３０を設けることにより、シャワーヘッド１０の重心を把持部１４の近傍に位置させることが容易となる。把持部１４の近傍にシャワーヘッド１０の重心を位置させることにより、取付面４１にシャワーヘッド１０を取り付ける操作、及び取付面４１からシャワーヘッド１０を取り外す操作が行いやすくなる。
【００４４】
本実施形態は、次のように変更して実施することも可能である。また、上記実施形態の構成や以下の変更例に示す構成を適宜組み合わせて実施することも可能である。
・図５に示すように、把持部１４を環状に形成する等して、奥側に指を回り込ませて把持部１４を握り込むための空間Ｓ２を把持部１４に設けてもよい。この場合には、把持部１４と取付面４１との間に上記空間Ｓ２を設ける必要はない。
【００４５】
・把持部１４の形状は、奥側に指を回り込ませて把持部１４を握り込むための空間Ｓ２が確保される形状であれば、正面側に突出する形状に限定されない。例えば、上下方向に直線状に伸びる把持部１４であってもよい。
【００４６】
・第１吸着部２０及び第２吸着部３０の磁気吸着力を異ならせるための構成は、上記実施形態の構成に限定されない。例えば、一方の吸着部の表面（吸着面）を粗面状にすることによって磁気吸着力を小さくしてもよい。
【００４７】
・第２吸着部３０の磁気吸着力が第１吸着部２０の磁気吸着力よりも大きくなるように調整されていてもよい。この場合には、取付面４１からシャワーヘッド１０を取り外す際に、第１吸着部２０から先に取付面４１から離間させるようにシャワーヘッド１０を傾動させることにより、上記（２）と同様の効果が得られる。また、第２吸着部３０の磁気吸着力と第１吸着部２０の磁気吸着力とが等しくなるように調整されていてもよい。
【００４８】
・第１吸着部２０及び第２吸着部３０について、取付面４１との間に磁気吸着力を発生させるための構成は特に限定されるものではない。例えば、第１磁石２２及び第２磁石３２として電磁石を用いてもよい。また、磁石等の磁場を発生させるための構成を取付面４１側に設け、第１吸着部２０及び第２吸着部３０を磁性体からなる構成としてもよい。
【００４９】
・第１吸着部２０及び第２吸着部３０について、取付面４１との間に隙間Ｓ１を生じさせる角部２３，３３の構成は、上記実施形態に限定されるものではない。例えば、図６（ａ）に示すように、断面視において、取付面４１側に台形状に突出する形状の第１磁石２２を用いることにより、第１磁石２２に角部２３を設けてもよい。
【００５０】
また、図６（ｂ）に示すように、ハウジング１１における第１収容部１５ａの少なくとも上側を含む周囲に対して、第１磁石２２の表面と同一面状に位置する平面部分２４ａを有し、背面側に突出する突出部２４を設ける。そして、突出部２４の角部を、取付面４１との間に隙間Ｓ１を生じさせる角部とする。この場合、突出部２４も第１吸着部２０の一構成となる。
【００５１】
また、角部２３，３３は、曲面状等の先端がとがった形状（ピン角状）以外の形状であってもよい。例えば、Ｃ面取り又はＲ面取りされた角部２３，３３であってもよい。
・第１吸着部２０及び第２吸着部３０について、いずれか一方のみに上記角部を設けた構成としてもよいし、両吸着部共に上記角部が省略された構成としてもよい。
【００５２】
・第１吸着部２０及び第２吸着部３０の配置を変更してもよい。例えば、第１吸着部２０及び第２吸着部３０のうち、上側に位置する第１吸着部２０をシャワーフェイス１２の中心線Ｌと同じ位置又は中心線Ｌよりも上側に設け、下側に位置する第２吸着部３０のみをシャワーフェイス１２の中心線Ｌよりも下側に設けてもよい。また、第１吸着部２０及び第２吸着部３０を左右方向に並ぶように設けてもよい。この場合、把持部１４は左右方向に延びるように設けることが好ましい。
【００５３】
・第１吸着部２０及び第２吸着部３０の吸着面２０ａ，３０ａの構成を変更してもよい。例えば、粗面状の吸着面としてもよい。この場合には、各吸着部又は取付面４１に水滴が付着している場合に、その水滴が粗面の凹部に入り込むことにより、吸着面と取付面４１とが水滴を介さずに直接、接触しやすくなる。これにより、取付面４１に対するシャワーヘッド１０の固定状態が更に安定化する。
【００５４】
また、第１吸着部２０及び第２吸着部３０において、磁石の表面を覆う被覆部が設けられていてもよい。この場合、被覆部により吸着面が構成される。
また、マグネットラバー性の磁石やゴム製の被覆部を用いる等して、軟質材により構成される吸着面としてもよい。この場合には、取付面４１にシャワーヘッド１０を取り付ける際や、取付面４１上をスライドさせてシャワーヘッド１０の位置を変更する際に、取付面４１が傷付いてしまうことを抑制できる。
【００５５】
・第１吸着部２０及び第２吸着部３０の各構成は同じであってもよいし、その一部又は全部が異なっていてもよい。
・第１吸着部２０及び第２吸着部３０の他に吸着部を更に備える構成であってもよい。
【００５６】
・図７に示すように、シャワーヘッド１０について、取付面４１に設けられたハンガー４２にも固定できる構成としてもよい。例えば、連結部１８として、ハンガー４２に係止可能な強度及び形状のものを採用する。この場合には、リフォーム等により壁部４０が磁性体として機能しないものに変更された場合にも、取付面４１のハンガー４２に対してシャワーヘッド１０を固定することができる。
【符号の説明】
【００５７】
Ｌ…シャワーフェイスの中心線、Ｓ１…隙間、Ｓ２…空間、１０…シャワーヘッド、１１…ハウジング、１２…シャワーフェイス、１３…ヘッド部、１４…把持部、２０…第１吸着部、２２…第１磁石、２３，３３…角部、３０…第２吸着部、３２…第２磁石、４１…取付面。
【図１】
2019054961.tif 000003
【図２】
2019054961.tif 000004
【図３】
2019054961.tif 000005
【図４】
2019054961.tif 000006
【図５】
2019054961.tif 000007
【図６】
2019054961.tif 000008
【図７】
2019054961.tif 000009